(57)【要約】【目的】蓋体のサイズ、特に高さ方向のサイズがコンパクトでありながら、落下してくる多くの遊技球を効率よく遊技機の内部に導くことの出来る遊技機の大入賞口の開閉機構を提供する。【構成】前記大入賞口が形成された前面部と、大入賞口の下方において引込位置と引込位置よりも前方の突出位置との間において移動自在に設けられた可動支持部と、可動支持部に対して揺動自在に設けられて大入賞口を開閉する蓋体と、可動支持部を突出位置及び引込位置のいずれか１つの位置に位置決めする位置決め部と、を含む。可動支持部が突出位置から引込位置に移動するとともに、蓋体の下方端部の少なくとも一部である当接部が前面部に当接してこれに摺接しながら蓋体が回転軸の周りを回動して大入賞口を閉じる。可動支持部が引込位置から突出位置へと向かう突出方向に移動するとともに、蓋体が突出方向へ向けて回動して大入賞口を開く。【選択図】図６
2007014591.tif 000002
【特許請求の範囲】
【請求項１】
遊技機の大入賞口を開閉するための開閉機構であって、
前記大入賞口が形成された前面部と、
前記大入賞口内下方において引込位置と前記引込位置よりも前方の突出位置との間で移動自在に設けられた可動支持部と、
前記可動支持部に対して揺動自在に設けられて前記大入賞口を開閉する蓋体と、
前記可動支持部を前記突出位置及び前記引込位置のいずれか１つの位置に位置決めする位置決め部と、を含み、
前記可動支持部が前記突出位置から前記引込位置に移動するとともに、前記蓋体の下方端部の少なくとも一部である当接部が前記前面部に当接してこれに摺接しながら前記蓋体が回転軸の周りを回動して前記大入賞口を閉じ、
前記可動支持部が前記引込位置から前記突出位置へと向かう突出方向に移動するとともに、前記蓋体が前記突出方向へ向けて回動して前記大入賞口を開くことを特徴とする大入賞口の開閉機構。
【請求項２】
前記可動支持部は前記蓋体の前記突出方向へ向けて回動する角度範囲を規制する回動規制部を有していることを特徴とする請求項１記載の大入賞口の開閉機構。
【請求項３】
前記引込位置において、前記蓋体は前記回転軸よりも上方であって且つ前記突出方向側に位置するウェイトを有していることを特徴とする請求項１又は２記載の大入賞口の開閉機構。
【請求項４】
前記蓋体の前記当接部は前記回転軸よりも下方若しくは上方にあることを特徴とする請求項１乃至３のうちの１に記載の大入賞口の開閉機構。
【発明の詳細な説明】
【技術分野】
【０００１】
本発明は、遊技機の大入賞口の開閉機構に関し、特に特定の遊技条件の成立によって遊技球の落下流路に向けて開口する蓋体を具備する大入賞口の開閉機構に関する。
【背景技術】
【０００２】
遊技場に設置されるパチンコ機などの遊技機において、特定の入賞口に遊技球が入球すると、中央制御装置内で抽選が行われて、特定の遊技条件の成立、すなわち、「大当たり」を得た場合に遊技球の落下流路に向けて蓋体を開口させる大入賞口装置を含む遊技機があった。大入賞口装置は、中央役物装置の下方に設けられていて、大入賞口を開閉自在とする蓋体を有している。「大当たり」状態では、蓋体が開いて、落下する遊技球を受けとめてこれを大入賞口に案内するのである。かかる大入賞口装置の蓋体は一般的には略矩形の細長体であって、その長手方向に伸長する回転軸を有している。当該回転軸は遊技盤面上にあって水平方向に延在するように配置されているのである。蓋体は「大当たり」以外の通常時にあっては、遊技盤面とその表面を一致させた閉状態にある。一方、「大当たり」状態になると、蓋体は遊技盤面の前方へ向けて回転軸を中心に回動して、遊技盤面の大入賞口を開くのである。これにより落下する遊技球を遊技機の内部に取り込むことができるのである。
【発明の開示】
【発明が解決しようとする課題】
【０００３】
ここで、例えばパチンコ機において、遊技盤面上に発射された遊技球は、釘などに衝突しながら遊技盤面とその前面に配置された透明なガラス板との間を落下する。つまり、遊技球の落下流路は、遊技盤面とその前面に配置された透明なガラス板との間の空間である。上記した如く、蓋体の回転軸を遊技盤面上に配置した場合にあっては、蓋体の高さを遊技盤面とその前面に配置されたガラス板との距離程度にすることで、当該蓋体が約９０度回転すると、遊技球の落下流路を蓋体の横幅に亘って遮断することが出来るのである。
【０００４】
ところで、近年、中央役物装置の内部に収容される液晶パネルの大型化への需要から中央役物装置自体の大きさも大型化してきている。そこで中央役物装置の下方向に設けられる大入賞口装置はその高さをコンパクトにすることが求められているのである。一方で、上記した如く、大入賞口装置の蓋体の高さを減じてしまうと、遊技球を大入賞口を介して効率よく遊技機の内部へと導くことが出来ないのである。
【０００５】
そこで、本発明は、上記した如き問題点に鑑みてなされたもので、蓋体の大きさ、特に高さ方向の大きさを拡大することなく、落下する多くの遊技球を大入賞口を介して効率よく遊技機の内部に導くことの出来る遊技機の大入賞口の開閉機構を提供する。
【発明を解決するための手段】
【０００６】
本発明による遊技機の大入賞口を開閉するための開閉機構は、前記大入賞口が形成された前面部と、前記大入賞口内下方において引込位置と前記引込位置よりも前方の突出位置との間で移動自在に設けられた可動支持部と、前記可動支持部に対して揺動自在に設けられて前記大入賞口を開閉する蓋体と、前記可動支持部を前記突出位置及び前記引込位置のいずれか１つの位置に位置決めする位置決め部と、を含み、前記可動支持部が前記突出位置から前記引込位置に移動するとともに、前記蓋体の下方端部の少なくとも一部である当接部が前記前面部に当接してこれに摺接しながら前記蓋体が回転軸の周りを回動して前記大入賞口を閉じ、前記可動支持部が前記引込位置から前記突出位置へと向かう突出方向に移動するとともに、前記蓋体が前記突出方向へ向けて回動して前記大入賞口を開くことを特徴とする。
【０００７】
本発明によれば、大入賞口装置の高さ方向の大きさを拡大することなく、落下する遊技球を大入賞口を介して遊技機の内部に効率よく導くことができる。また、蓋体はその軸線方向の一端部近傍に位置する回転軸の周りを回動して大入賞口を閉じるが、本発明によれば、回転軸から離間した回動先端部の移動量を同じ高さの大入賞口を有する従来の大入賞口装置よりも減じることが出来るため、蓋体が閉動作するときの蓋体と遊技盤面との間における遊技球が挟まれた状態、いわゆる「玉噛み」を減じることが出来るのである。
【発明を実施するための形態】
【０００８】
本発明による１つの実施例である大入賞口の開閉機構について図１乃至図８を参照しつつ説明する。
【０００９】
特に、図２及び６を参照すると、大入賞口装置１０は、遊技機の遊技盤１に設けられた略矩形の大入賞口取付孔２に、遊技盤１の表側から嵌入されて設置される。なお、以下において、大入賞口取付孔２への大入賞口装置１０の嵌入方向を＋Ｚ方向として、＋Ｚ方向を後方、−Ｚ方向を前方と称することとする。また、大入賞口装置１０を正面から見て、左方を「左手」、右方を「右手」、また、上下についてそれぞれ「上方」及び「下方」を定義する。さらに、図１を参照して、大入賞口装置１０を正面から見たときの左下（紙面の左下）を原点として、Ｘ、Ｙ、Ｚ軸を定義する。
【００１０】
特に、図１、２及び６を参照すると、飾り板２０は、大入賞口装置１０を遊技機に取り付けたときに遊技盤１の一部を構成する。すなわち、大入賞口取付孔２の周囲を遊技者の視界から遮るべく、飾り板２０は、大入賞口取付孔２よりも大なる大きさを有する。なお、飾り板２０の周縁端部の角部は、遊技盤１上を落下する遊技球が衝突して不自然に跳ね返らないように面取りをしておくことが好ましい。飾り板２０は、中央部に略矩形の窓２１を有する。また、飾り板２０の裏側には、窓２１の内周に沿ってその内側方向に向けて突出する前面ストッパ部（前面部）２２が飾り板２０とともに一体に成形されている。前面ストッパ部２２は、飾り板２０の後方にあって、その中央部に遊技球が通過可能な略矩形の大入賞口が形成されているのである。後述するように、前面ストッパ部２２は蓋体４０と係合して蓋体４０を回動せしめて大入賞口を開閉自在とするのである。
【００１１】
特に、図３に示すように、筐体２５は、飾り板２０の前面ストッパ部２２の後方に固定されている。筐体２５は、第１の側板２５ａ及びこれに対向する第２の側板２５ｄ、天板２５ｂ、及び、底板２５ｃからなる。第１の側板２５ａ及び第２の側板２５ｄの外側には、大入賞口装置１０を遊技機本体に固定するための一対の固定部材２６がＺ軸に平行に伸長するようにそれぞれ設けられている。底板２５ｃの上面には、開口部を筐体２５の内部に向けた３つの凹溝が互いに平行に且つＺ軸と平行な方向に伸長するように形成されている。詳細には、Ｘ軸方向に沿って、底板２５ｃの中央部にはガイド溝２７が形成されている。そして、ガイド溝２７を挟んで第１の側板２５ａ及び第２の側板２５ｄの近傍には、それぞれ第１凹溝２８ａ、第２凹溝２８ｂが形成されている。第１凹溝２８ａ及び第２凹溝２８ｂの幅はガイド溝２７の幅よりも広い。併せて図２にも示すように、後述する可動底板３０の蓋体取付部３１が第１凹溝２８ａ及び第２凹溝２８ｂの内部をＺ軸方向に沿って移動できるように、第１凹溝２８ａ及び第２凹溝２８ｂは蓋体取付部３１の幅よりも広い幅を有している。
【００１２】
特に、図４に示すように、筐体２５の左手は後方へ向けて延出しており、かかる延出部の内部には、軸２９ａをＺ軸と平行な方向に前後に往復動可能なソレノイド２９が固定されている。ソレノイド２９は図示しない中央制御部の制御によって電流を与えられて駆動する。
【００１３】
特に、図１、２及び４を参照すると、筐体２５の内部には後述する蓋体４０を揺動自在に支持する可動支持部としての可動底板３０が収容されている。可動底板３０は、飾り板２０側に位置する前方端部において、Ｘ軸方向に沿って離間した位置、すなわち左右両端部から前方に向けて突出する一対の蓋体取付部３１を有している。蓋体取付部３１の前方端部は、Ｘ軸方向に伸張する略円柱状の係合部３１ａを有している。係合部３１ａのＸ軸方向の両側部には、Ｘ軸に平行に伸長する取付孔３１ｂがそれぞれ搾孔されている（特に、図２参照）。取付孔３１ｂには、後述するように、蓋体４０の接続部４１の円柱状突起（図示せず）が挿入される。つまり、蓋体４０は可動底板３０の前方端部の係合部３１ａに搾孔された取付孔３１ｂの延在する方向と平行に伸長する回転軸４２の周りに回動自在に軸支されているのである。蓋体取付部３１の係合部３１ａはその一部が切り取られていて、後述する回動規制部３１ｃが形成されている。可動底板３０の底部からは下方向（−Ｙ方向）へ向けて伸長する３つの突起３２、３３ａ及び３３ｂ（図示せず）が形成されている。ここで、突起３２、３３ａ及び３３ｂ（図示せず）は、それぞれ筐体２５の底板２５ｃに形成されたガイド溝２７、第１凹溝２８ａ、第２凹溝２８ｂ内を摺動自在である。故に、可動底板３０は筐体２５の底板２５ｃの上をＺ軸に沿って摺動自在に往復動可能なのである。
【００１４】
可動底板３０の上には遊技球案内板３４が立設されている。遊技球案内板３４は、可動底板３０の左手端部から＋Ｘ方向に向けて後方へ傾斜しており、突起３２の近傍まで延在している。遊技球案内板３４は、窓２１を介して大入賞口装置１０内に取り込まれた遊技球をその後方の一定位置に集めるための案内板である。遊技球案内板３４の後方には、ソレノイド２９の軸２９ａの先端部に取り付けられた円盤２９ｂを前後から挟んで係合する一対の係止板３５が立設されている。ソレノイド２９は、後述するように、可動支持部としての可動底板３０を引込位置及び引込位置よりも前方の突出位置のいずれか１つの位置に位置決めする位置決め部として機能する。
【００１５】
特に、図１を参照すると、蓋体４０は窓２１に嵌合する略矩形の板状体であって、遊技機の前方を向き得る面４０ａ、及び、遊技機の後方を向き得る面４０ｂを有する。蓋体４０の後方端部にはＸ軸方向に沿って互いに離間して設けられた一対の接続部４１がある。接続部４１は、後方へ向けた開口を有する略矩形の切り欠きである。接続部４１の内部には、Ｘ軸に平行に沿って伸張する互いに対向する円柱状の突起（図示せず）がある。円柱状突起は、蓋体取付部３１の蓋体取付孔３１ｂに嵌合している。これにより、蓋体４０はＸ軸に平行な回転軸４２の周りに回動自在である。
【００１６】
特に、図１及び図６に示すように、蓋体４０は、可動底板３０の前方端部の係合部３１ａの一部を切り取って設けられた回動規制部３１ｃに蓋体４０の面４０ａが当接する位置（図６（ａ））から、蓋体４０の面４０ｂが窓２１内の前面ストッパ部２２に当接する位置（図６（ｂ））まで回転軸４２の周囲を回動自在である。
【００１７】
ここで、特に、突出位置の大入賞口装置１０を示す図６（ａ）及び図７（ａ）を参照して、係合部３１ａが飾り板２０の前方に位置して、回動規制部３１ｃに蓋体４０の面４０ａが当接している状態を説明する。蓋体４０は後述するように自重によって回転軸４２の周りを手前側に向けて回動するように付勢されており、係合部３１ａの回動規制部３１ｃに蓋体４０の面４０ａが当接して停止している。この停止状態において、蓋体４０の面４０ｂは前方から後方へ向けて下方向に傾斜している。また、回転軸４２は、蓋体４０のＹＺ断面において、蓋体４０の後方端部よりもわずかに手前側に位置している。蓋体４０の面４０ｂの後方端部の当接部としての角部５０は回転軸４２よりも後方且つ下方にあって、前面ストッパ部２２のわずかに前方に位置している。
【００１８】
次に、図６（ｂ）及び図７（ｄ）に示すような、可動底板３０の係合部３１ａが飾り板２０の窓２１及び前面ストッパ部２２の大入賞口近傍に位置する引込位置について説明する。蓋体４０は、鉛直上方へ向けて延在するように配置される。このとき、蓋体４０は、前方へ向けて回転軸４２ａの周りを回動するようにバランス調整されている。例えば、回転軸４２ａよりも前方にある蓋体４０の面４０ａの表面近傍に重心調整用のウェイトなどを埋め込んでおくことなどが好ましい。かかる構成によれば、蓋体４０と前面ストッパ部２２との係合を解除するだけで、蓋体４０が開動作するので、機構を簡略化することができるのである。また、後述するように、蓋体４０の面４０ｂに遊技球が落下しても蓋体４０の重量により蓋体４０が跳ね上がることを防止できるのである。
【００１９】
次に、本発明による１つの実施例である大入賞口の開閉機構の動作について図を参照しながら説明する。
【００２０】
特に、図１、図２、図４、図６（ａ）及び図７（ａ）を参照すると、図示しない中央処理装置（ＣＰＵ）からの信号によってソレノイド２９に電流が流れて、軸２９ａが前方に押し出される。これにより軸２９ａの前方端部の円盤２９ｂを介して係合する可動底板３０が底板２５ｃの上を前方へと移動する。この可動底板３０の突出方向への移動において、係合部３１ａは前面ストッパ部２２の近傍から飾り板２０の前方に移動して停止する。この位置が可動底板３０の係合部３１ａの突出位置である。故に、回転軸４２も前面ストッパ部２２の近傍から飾り板２０の前方へと移動して、蓋体４０の面４０ｂと前面ストッパ部２２との係合が解除される。これにより蓋体４０は重心のバランスから自重によって回転軸４２の周りを前方、すなわち突出方向へ向けて倒れるように回動するのである。そして蓋体４０の面４０ａが蓋体取付部３１の回動規制部３１ｃに当接するまで回動して停止する。かかる状態が大入賞口装置１０の開放状態、すなわち「大当たり」状態である。ここで、蓋体４０は前面ストッパ部２２との係合を解除するだけで開動作するようにバランス調整されているため、開動作のための付加的な機構を必要としない。また、大当たり状態で遊技球が蓋体４０の面４０ｂに落下しても、蓋体４０は前方に向けて回転軸４２の周りを回動するように自重により付勢されているので、蓋体４０が回転軸４２の周りを突出方向と反対の方向へ回転して跳ね上がってしまうことを防止できるのである。
【００２１】
特に、図５、図６（ｂ）及び図８（ａ）を参照すると、所定時間の経過後、若しくは、所定の遊技条件の成立によって、図示しない中央処理装置からの信号によってソレノイド２９に電流が流れる。これにより可動底板３０が底板２５ｃの上を後方へと移動を開始する。このとき係合部３１ａが前面ストッパ部２２の方向へ向けて後方に後退するとともに、回転軸４２も飾り板２０に対して相対的に後方へと移動して、蓋体４０の後方であって面４０ｂの角部５０が前面ストッパ部２２に当接する。
【００２２】
特に、図７（ｃ）及び図８（ａ）を参照すると、可動底板３０が底板２５ｃの上を後方へと更に移動して係合部３１ａが窓２１及び前面ストッパ部２２の大入賞口の内部方向へと更に後退するとともに、蓋部４０の角部５０が前面ストッパ部２２に沿ってこれに摺接しながら下方へ移動する。これにより、蓋体４０は「てこの原理」によって、回転軸４２を挟んで角部５０と反対側に位置する蓋部４０の前方端部が前面ストッパ部２２に当接するまで回転軸４２ａの周りを回動するのである。つまり、力点となる角部５０が回転軸４２ａよりも後方且つ下方にあれば、前面ストッパ部２２に回転軸４２ａを近接せしめることで、角部５０を前面ストッパ部２２の表面に沿って下方向へ押し下げる力が働き、蓋体４０は回転軸４２ａの周囲を窓２１を閉塞する方向へ回動するのである。
【００２３】
なお、蓋体４０の一部が前面ストッパ部２２と係合して、蓋体４０が回転軸４２ａの周囲に回動して窓２１を閉塞する機構であれば他の機構であってもよい。例えば、上記した如く、突出位置において角部５０が回転軸４２よりも後方且つ下方にあるときに限定されず、角部５０が回転軸４２よりも後方ではあるが、上方にあってもよい。かかる場合にあっては、突出位置から回転軸４２が前面ストッパ部２２に近接するように移動せしめられたときに、角部５０が下方向に移動するように、角部５０及び前面ストッパ部２２の形状を選択すればよい。１つの例として、図８（ｂ）に示すように、前面ストッパ部２２における角部５０との当接位置に後方へ向けて下方に傾斜する傾斜面２２ａを形成する。また、蓋部４０の角部５０を蓋部４０の厚さ方向へ突出形成する。これにより、角部５０が傾斜面２２に沿って下方向へと移動せしめられて、蓋体４０が窓２１を閉塞する方向に回転軸４２の周囲を回動するのである。
【００２４】
特に、図６（ｂ）、図７（ｄ）及び図８（ａ）を参照すると、係合部３１ａが窓２１及び前面ストッパ部２２の大入賞口近傍に位置するまで後退すると、蓋体４０の面４０ｂと前面ストッパ部２２とが当接して窓２１が閉塞されるのである。かかる状態が大入賞口の閉塞状態、すなわち通常状態である。
【００２５】
以上の如く、特に、図６を参照すると、突出位置（ａ）においては、回転軸４２が前方に向けて窓２１よりも突出しているため、大入賞口の開口長さ５１、すなわち遊技盤面から蓋体４０の上端（図６（ａ）における左側の先端）回動端部までの長さは、蓋体４０の上端から回転軸４２までの長さ５２と、回転軸４２の飾り板２０から前方への移動距離５３と、を足した長さとなる。一方で、引込位置（ｂ）においては、従来と同様に、ほぼ蓋体４０の高さの窓部２１内に蓋体４０は収容されるのである。つまり、蓋体４０の収容時に必要な高さ方向の大きさは従来の大入賞口装置とほぼ同じでありながら、開口時にあっては上記した移動距離５３の分だけ遊技盤面よりもより大なる開口長さを得られるのである。
【図面の簡単な説明】
【００２６】
【図１】本発明の実施例による大入賞口の斜視図である。
【図２】本発明の実施例による大入賞口の正面図である。
【図３】本発明の実施例による大入賞口の要部の斜視図である。
【図４】本発明の実施例による大入賞口の斜視図である。
【図５】本発明の実施例による大入賞口の斜視図である。
【図６】図２のＡ−Ａ線での断面図である。
【図７】図２のＢ−Ｂ線での断面図である。
【図８】（ａ）図７の部分拡大図である。（ｂ）本発明の他の実施例における（ａ）の対応部分の図である。
【符号の説明】
【００２７】
１      遊技盤
２      大入賞口取付孔
１０    大入賞口装置
２０    飾り板
２１    窓（大入賞口）
２２    前面ストッパ部（前面部）
２５    筐体
２６    固定部材
２７    ガイド溝
２８ａ  第１凹溝
２８ｂ  第２凹溝
２９    ソレノイド（位置決め部）
３０    可動底板（可動支持部）
３１    蓋体取付部
３１ａ  係合部
３１ｂ  取付孔
３１ｃ  回動規制部
４０    蓋体
４１    接続部
４２    円柱状突起
５０    角部（当接部）
【図１】
2007014591.tif 000003
【図２】
2007014591.tif 000004
【図３】
2007014591.tif 000005
【図４】
2007014591.tif 000006
【図５】
2007014591.tif 000007
【図６】
2007014591.tif 000008
【図７】
2007014591.tif 000009
【図８】
2007014591.tif 000010